(57)【特許請求の範囲】
【請求項１】
車両の固定ルーフに形成された開口部と、閉鎖時にあっては前記開口部を覆うシェード部と、前記開口部の前側および後側の一方もしくは両方に設けられた巻き取り装置とを備え、前記巻き取り装置に前記シェード部を巻くもしくは引き出すことによって前後方向へ移動させて前記開口部を開閉するサンシェード装置であって、
前記シェード部の車幅方向の両側縁には、所定の幅を有し、前後方向に溝状の凹部が形成されたガイド部が延設されており、
前記ガイド部は、前記凹部の車幅方向内側に設けられた水平面を備えており、
前記シェード部は、前記ガイド部と、前記水平面に結合されたシート状のスクリーンとから構成され、
前記巻き取り装置は、円筒状に形成されたスプールと、このスプールの両側縁と係合された駆動部とを備えており、
前記スプールは、前記スクリーンの一端と係合し、回転することによって前記スクリーンを巻き取り、
前記駆動部には、所定の幅を有する前記スプールの外周面の高さから凹設されて、前記車幅方向における断面が前記ガイド部の前記車幅方向における断面形状と略一致し、前記ガイド部の前記車幅方向の動きを規制するガイド部収容溝が形成されており、
前記スクリーンが前記スプールに巻き取られるとき、前記ガイド部は前記ガイド部収容溝に上下方向に重なって収容されることを特徴とするサンシェード装置。
【請求項２】
前記開口部の車幅方向側縁部下方には、ガイドレールが前後方向に延設されており、
前記シェード部は、前記ガイド部が前記ガイドレール内を摺動することで前記開口部の前後方向に移動し、
前記ガイドレールには、前記凹部の内面に向けて突設された規制片が前後方向に延設されており、
前記規制片は、前記シェード部が開閉移動するとき、前記凹部の車幅内側方向を臨む前記内面の少なくとも一部と当接することで前記ガイド部の車幅内側方向への移動を規制するとともに、前記ガイド部と摺動自在に係合することを特徴とする請求項１に記載のサンシェード装置。
【請求項３】
前記駆動部を回転自在に軸支するとともに前記スプールに枢結された支軸と、
前記支軸と前記駆動部との間に架設された弾性体と、
前記スクリーンの他端に結合され、車幅方向に延設されたステーと、
前記ステーの車幅方向の両側縁に設けられた前記ガイドレール内を摺動する摺動部と、
前記摺動部と一端が係合された開放端型のベルトとを備え、
前記駆動部は、前記ガイド収容溝の車幅外側方向に、外周に所定間隔毎に突起が形成された歯車を備えており、
前記ベルトには、前記歯車と離脱可能に係合するように前記突起と噛み合う係合穴が形成されており、
前記ステーの前後移動によって、前記スクリーンを介して前記スプールが回転し、前記ベルトを介して前記駆動部が回転し、
前記ステーを移動させて前記シェード部を閉鎖方向へ移動させるとき、前記弾性体は、前記スクリーンが前記スプールに巻き取られる方向へ回転させるように前記スプールを付勢することを特徴とする請求項２に記載のサンシェード装置。
【発明の詳細な説明】
【技術分野】
【０００１】
本発明は、車両のルーフの内開口部に取り付けられるサンシェード装置に関するものである。
【背景技術】
【０００２】
採光のためにサンルーフ装置を備えた車両では、直射日光がサンルーフ装置から直接車室内へ射し込むことを防ぐためにサンシェード装置を備えたものがある。サンシェード装置には、車両のルーフの内開口部を車両前後方向に開閉するように取り付けられているものがある。このサンシェード装置の構成には、複数の矩形のパネルを車両前後方向に移動させて開口部を開閉する多板サンシェードや、巻き取り軸を備え、シート状のシェード部材を巻き取ることによって開口部を開閉するロールサンシェードがある。
【０００３】
ロールタイプのサンシェード装置では、車両が走行中に受ける風等によってシート状のシェード部材がばたつく場合がある。これを防止するために、シェード部材の車幅方向側縁部を車両のルーフ側に取り付けたガイドレールと係合させて車幅方向にテンションを付加し、ばたつきに抗するよう構成された技術が知られている（特許文献１参照）。
【先行技術文献】
【特許文献】
【０００４】
【特許文献１】特開２００９−１２５８４号公報
【発明の概要】
【発明が解決しようとする課題】
【０００５】
特許文献１において開示された技術は、シェード部材の車幅方向の側縁に可撓性の帯状部材を備え、この帯状部材の一部がシェード部材の面に対して起き上がる方向に可動可能な可撓部となっている。この可撓部は、シェード部材が開口部を移動するときには起き上がった状態となってガイドレールと係合し、シェード部材が巻き取り軸に巻き取られるときには沈み込んだ状態となってシェード部材の面を形成するように構成されている。かかる構成は、サンシェード装置搭載にあたってのスペース効率を向上させている。
【０００６】
しかしながら、前記した可撓部はサンシェード部材の開閉の度に、起き上がり、沈み込みの動作が繰り返されるため、可撓部の支点となる可動部分に疲労が蓄積し、可撓部の弾性力を低下させるおそれがあり、さらにはクラックが発生してこれが成長することによって可動部分を破損させるおそれもある。
【０００７】
本発明は、前記背景を鑑み、開閉時にはサンシェード部材の車幅方向の動きを規制するとともに、巻き取り時にはスペース効率を損なわず、繰り返し使用にも構造的な信頼性を低下させないサンシェード装置を提供することを目的とする。
【課題を解決するための手段】
【０００８】
本発明は、車両（１）の固定ルーフ（２）に形成された開口部（３）と、閉鎖時にあっては前記開口部（３）を覆うシェード部（１１）と、前記開口部（３）の前側および後側の一方もしくは両方に設けられた巻き取り装置（４０）とを備え、前記巻き取り装置（４０）に前記シェード部（１１）を巻くもしくは引き出すことによって前後方向へ移動させて前記開口部（３）を開閉するサンシェード装置に適用することができる。このサンシェード装置（１０）においては、前記シェード部（１１）の車幅方向の両側縁には、所定の幅を有し、前後方向に溝状の凹部（１７）が形成されたガイド部（１４）が延設されており、前記ガイド部（１４）は、前記凹部（１７）の車幅方向内側に設けられた水平面（１８）を備えており、前記シェード部（１１）は、前記ガイド部（１４）と、前記水平面（１８）に結合されたシート状のスクリーン（１３）とから構成され、前記巻き取り装置（４０）は、円筒状に形成されたスプール（４９）と、このスプール（４９）の両側縁と係合された駆動部（４１）とを備えており、前記スプール（４９）は、前記スクリーン（１３）の一端と係合し、回転することによって前記スクリーン（１３）を巻き取り、前記駆動部（４１）には、所定の幅を有する前記スプール（４９）の外周面の高さから凹設されて、前記車幅方向における断面が前記ガイド部（１４）の前記車幅方向における断面形状と略一致するガイド部収容溝（４２）が形成されており、前記スクリーン（１３）が前記スプール（４９）に巻き取られるとき、前記ガイド部（１４）は前記ガイド部収容溝（４２）に上下方向に重なって収容されるように構成することが好適である。
【０００９】
前記構成によれば、開閉時にはサンシェード部材の車幅方向の動きを規制するとともに、シェード部を巻き取る際には、凹部を備えたガイド部をスプールのガイド収容溝に収容されるように嵩張ることなく巻き取ることができるため、スペース効率を損なうことがない。
【００１０】
前記構成において、前記開口部（３）の車幅方向側縁部下方には、ガイドレール（３０）が前後方向に延設されている。そして、前記シェード部（１１）は、前記ガイド部（１４）が前記ガイドレール（３０）内を摺動することで前記開口部（３）の前後方向に移動し、前記ガイドレール（３０）には、前記凹部（１７）の内面に向けて突設された規制片（３１）が前後方向に延設されている。前記規制片（３１）は、前記シェード部（１１）が開閉移動するとき、前記凹部（１７）の車幅内側方向を臨む前記内面の少なくとも一部（１９）と当接することで前記ガイド部（１４）の車幅内側方向への移動を規制するとともに、前記ガイド部（１４）と摺動自在に係合するように構成されている。
【００１１】
前記構成は、車幅方向の両側縁に溝状の凹部が形成されたガイド部を備え、シェード部が開閉移動するとき、ガイドレールに形成された規制片とこの凹部とが当接することで、シェード部が車幅内側方向へ移動することを規制することができる。この構成によれば、可動部分を有さず、シェード部のばたつきに抗するよう構成することができる。
【００１２】
前記構成において、前記駆動部（４１）を回転自在に軸支するとともに前記スプール（４９）に枢結された支軸（４６）と、前記支軸（４６）と前記駆動部（４１）との間に架設された弾性体（４７）と、前記スクリーン（１３）の他端に結合され、車幅方向に延設されたステー（６０）と、前記ステー（６０）の車幅方向の両側縁に設けられた前記ガイドレール内を摺動する摺動部（６１）と、前記摺動部（６１）と一端が係合された開放端型のベルト（５０）とを備え、前記駆動部（４１）は、前記ガイド収容溝（４２）の車幅外側方向に、外周に所定間隔毎に突起（５２）が形成された歯車（４４）を備えており、前記ベルト（５０）には、前記歯車（４４）と離脱可能に係合するように前記突起（５２）と噛み合う係合穴（５１）が形成されており、前記ステー（６０）の前後移動によって、前記スクリーン（１３）を介して前記スプール（４９）が回転し、前記ベルト（５０）を介して前記駆動部（４１）が回転し、前記ステー（６０）を移動させて前記シェード部（１１）を閉鎖方向へ移動させるとき、前記弾性体（４７）は、前記スクリーン（１３）が前記スプール（４９）に巻き取られる方向へ回転させるように前記スプール（４９）を付勢するように構成することが好適である。
【００１３】
前記構成によれば、開放端型のベルトと歯車との噛み合いによって、シェード部を容易に前後移動させることができる。また、シェード部がスプールに巻き取られる方向へ付勢するように歯車の回転に抗する弾性体を備えることにより、容易にシェード部を巻き取ることができる。
【発明の効果】
【００１４】
本発明は、開閉時にはサンシェード部材の車幅方向の動きを規制するとともに、巻き取り時にはスペース効率を損なわず、繰り返し使用にも構造的な信頼性を低下させないサンシェード装置を提供することができる。
【図面の簡単な説明】
【００１５】
【図１】本発明の一実施形態にかかるサンシェード装置の概要を示す車両の屋根部分の斜視図である。
【図２】本発明の一実施形態にかかるサンシェード装置全体を上方から見た平面図である。
【図３】本発明の一実施形態にかかるサンシェード装置全体の側断面図である。
【図４】本発明の第１実施形態にかかる図３のＡ−Ａ断面図である。
【図５】本発明の第１実施形態にかかる図３のＢ−Ｂ断面図である。
【図６】本発明の第１実施形態にかかる図３のＣ−Ｃ断面図である。
【図７】本発明の第１実施形態にかかる図３のＤ−Ｄ断面図である。
【図８】本発明の第２実施形態にかかる図３のＢ−Ｂ断面図である。
【図９】本発明の第２実施形態にかかる図３のＤ−Ｄ断面図である。
【発明を実施するための形態】
【００１６】
［第１実施形態］
以下、図面を参照して本発明の第１実施形態について説明する。なお、以下の説明における上下、前後、左右の方向は、図１の矢印に示すように、車両に搭乗した乗員の視点を基準としている。また、図４〜７については、車両の車室を基準として、内外方向として説明する。
【００１７】
＜サンシェード装置の各部位の構成＞
図１を参照すると、車両１の固定ルーフ２には、概ね矩形をなす開口部３が形成されている。車両１に搭載されたサンシェード装置１０は、開口部３の内周輪郭に対応する形状に形成されたシェード部１１を前後方向に移動させて、開口部３を開閉させる構成としている。なお、本実施形態では、後記する巻き取り装置が開口部の後方に設けられており、シェード部１１は、開放状態にあっては巻き取り装置に巻き取られており、閉鎖状態にあっては開口部３の前方にステー６０が移動されてシート状に展開される。ステー６０は図示しない把手等を車室内側に備えており、乗員はこの把手等を引くことによってシェード部１１を閉鎖方向に移動させることができる。
【００１８】
図２は、サンシェード装置１０を上方から見たものであり、図１の固定ルーフ２、開口部３は省略している。図３は、図２を左方向から見たものであり、後側の一部を断面視している。なお、図２を右方向から見た場合も図３と同様な構成となる。図２と図３を参照すると、サンシェード装置１０は、巻き取り装置４０と、ステー６０と、後方の一端が巻き取り装置４０に巻き取られ、前方の他端がステー６０に結合されたシェード部１１と、ステー６０に設けられた摺動部６１と係合し、巻き取り装置４０の駆動部４１を構成する歯車４４の外周に所定間隔で形成された突起５２と係合する係合穴５１が穿孔された開放端型のベルト５０とを備えている。
【００１９】
シェード部１１は、矩形のシート状のスクリーン１３と、スクリーン１３の車幅方向（左右方向）の両側縁に結合されたガイド部１４とから構成される。スクリーン１３は，例えば、通気性を備えた薄い織物を適用することができ、使用する繊維材料および織り方は、透光、遮光の程度、厚さ、強度等から適宜選択することができる。
【００２０】
図５も併せて参照すると、帯状のガイド部１４の前後方向断面は、内側方向にスクリーン１３と平行した水平面であってスクリーン１３と結合する結合部１８と、車幅外側方向に溝状の凹部１７とを備えている。ガイド部１４は、例えば、ＰＰ（ポリプロピレン）等の合成樹脂材料を適用して成形することができ、断面方向の厚みは強度等から適宜設定されるが、スクリーン１３と同様に薄いものとすることが好適である。巻き取りの際の嵩張りを減少させるからである。結合部１８とスクリーン１３とは、例えば、点線部を縫製したり、または、溶着、接着等で結合することができる。なお、図５において凹部１７の断面は台形状の空間を有するものとしているが、凹部１７の車幅方向外側に車幅内側方向を臨む当接面１９が形成されれば台形状には限定されない。
【００２１】
ステー６０は、乗員がサンシェード装置１０の開閉操作をするためのハンドルであり、図示しない把手等を車室内側に備えている。図４も併せて参照すると、ステー６０の車幅方向側縁には後記するガイドレール３０の第２通路３３内を摺動する摺動部６１が設けられている。ステー６０は、シェード部１１のスクリーン１３と、例えば、縫製、溶着、接着等で結合することができる。スクリーン１３が前後方向に移動する際に、ガイドレール３０と接触して損傷を受けることを防止するために、ステー６０には下方に延出した第２摺動部６２が形成されている。第２摺動部６２がガイドレール３０の第１通路３２（図４参照）の下面を摺動することでスクリーン１３とガイドレール３０との間隙が形成されて、スクリーン１３がガイドレール３０と接触しない構成としている。
【００２２】
ベルト５０は、前記したように係合穴５１が穿孔された開放端型のベルトであり、例えば、ＰＯＭ（ポリオキシメチレン：ポリアセタール樹脂）等の合成樹脂材料を適用して成形することができる。
【００２３】
次に巻き取り装置４０について説明する。まず、図２、図３を参照すると、巻き取り装置４０は、車幅方向（左右方向）に配設された円柱状のシャフト４６と、このシャフト４６の両端を軸支する軸受２３と、後記する巻き取り機構の一部が収容されるシャフトホルダ２１とからなる。
【００２４】
図７を参照すると、シャフト４６には回転自在に軸支された駆動部４１と、シャフト４６に回転拘束されて軸支されたスプール４９とが、車幅方向の外側から内側に向かって配設されている。駆動部４１は、車幅内側方向に円筒状のガイド受け部４３と車幅外側方向に歯車４４とを備えている。そして、歯車４４から軸受２３（図２参照）に至る部分がシャフトホルダ２１に収容されている。シャフト４６のさらに車幅方向内側には、軸と直交する方向に突出した係止片４８が形成されており、一端が駆動部４１のガイド受け部４３と係合した弾性体４７の他端がこの係止片４８に係合している。弾性体４７は、例えば、図７に示すようにつるまきバネ等のバネを適用できるが、限定はされない。
【００２５】
図２、図３も併せて参照すると、歯車４４は、所定の厚みを有した円盤の外周に所定間隔毎に突起５２が形成されている。ガイド受け部４３は、シェード部１１を巻き取り装置４０に巻き付けるときにガイド部１４を収容するための台形状の溝が形成されたガイド部収容溝４２を略中央に備えている。ここで、ガイド部収容溝４２の断面を台形状の溝としているのはガイド部１４の断面形状と合わせているためである。
【００２６】
図２、図３および図６を参照すると、前後方向でシャフト４６の手前にはスクリーンガイド２０が配設されている。スクリーンガイド２０は、車幅方向（左右方向）ではスクリーン１３とほぼ同じ長さで、断面が下側に円弧を有した半円状となっている。スクリーンガイド２０は、円弧の外面でスクリーン１３の上面に接触することで下方へ付勢して、ステー１２とともにスクリーン１３の前後方向にたるみが生ずることを防止するとともに、展開したスクリーン１３が平面となるようにしている。また、スクリーンガイド２０の下側を円弧にすることで、摩擦を軽減し、スクリーン１３を滑らかに移動させることができる。
【００２７】
＜サンシェード装置の作用時の構成＞
次に、図３〜図７を参照して、前記した各部位を係合させたサンシェード装置１０の作用時の構成について説明する。図３は、シェード部１１が開口部３を閉鎖する方向に引き出された状態を表している。このときのサンシェード装置１０のＡ−Ａ断面、Ｂ−Ｂ断面、Ｃ−Ｃ断面およびＤ−Ｄ断面が、それぞれ図４〜図７に表されている。
【００２８】
図４を参照すると、スクリーン１３と結合したステー６０の車幅方向外側の側縁には前記したように摺動部６１と第２摺動部６２が備えられており、シェード部１１の移動に伴い、摺動部６１はガイドレール３０に形成された第２通路３３内を前後方向にスライドする。摺動部６１には上方に突出した係合突起６３が設けられており、この係合突起６３がベルト５０の係合穴５１に嵌合されることにより、ステー６０とベルト５０とが係合されている。
【００２９】
図５を参照すると、スクリーン１３の側縁に結合されたガイド部１４は、ガイドレール３０の第１通路３２（図４参照）内に収容されている。第１通路３２には、ガイド部１４の凹部１７の内面に向けて突設された規制片３１が設けられている。スクリーン１３に車幅方向内側への負荷が発生したとき、凹部１７の車幅内側方向を臨む当接面１９と規制片３１とが当接し、ガイド部１４は車幅方向内側への移動が規制される。この構成によれば、可動部分を有さず、シェード部１１のばたつきに抗するよう構成することができる。このときベルト５０は、ガイドレール３０の第２通路３３を前後方向に摺動する。なお、ガイドレール３０は、スクリーンガイド２０の手前まで、摺動部６１、第２摺動部６２、ベルト５０が摺動する通路として機能する。
【００３０】
図６を参照すると、ガイド部１４がガイドレール３０の第１通路３２を越えると、スクリーンガイド２０がスクリーン１３を下方へ付勢する。かかる構成によって展開されたスクリーン１３を水平に維持することができる。図２も併せて参照すると、シャフトホルダ２１は、前後方向でシャフト４６等を収容する位置からスクリーンガイド２０とほぼ同位置まで延設されている。シャフトホルダ２１は、歯車４４の外周に所定間隔で形成された突起５２とベルト５０の係合穴５１とが係合するように、ベルト５０の移動方向を案内している。なお、断面視矩形状に形成されたシャフトホルダ２１の内面２２の上面側と下面側の両方にベルト５０の断面が示されているが、これは、シェード部１１が巻き取られるとき、上面側に歯車４４に向かうベルト５０が示されており、一方、下面側に歯車４４との係合が外れて一端がステー６０に向かうベルト５０が示されている。
【００３１】
図７を参照すると、シェード部１１のスクリーン１３はスプール４９に巻き取られ、このときガイド部１４はガイド受け部４３のガイド部収容溝４２に収容されている。かかる構成によれば、展開時にスクリーン１３の左右方向を拘束するガイド部１４を嵩張ることなく巻き取ることにより、スペース効率を損なうことがない。
【００３２】
図３も併せて参照すると、歯車４４の前方向上部のＸ点でベルト５０の係合穴５１は歯車４４に形成された突起５２と係合される。開放端型のベルト５０はシャフトホルダ２１内を係合された歯車４４によってシャフト４６を中心に回転し、ベルト５０の移動方向がシェード部１１のステー６０と係合された他端方向に転じた前方向下部のＹ点において歯車４４との係合が外れて前記歯車の外周から離脱する構成としている。かかる構成によれば、ステー６０から巻き取り装置４０へ駆動力を伝達するにあたって、環状型のベルトと比べ短い開放端型のベルトを適用したため、スペース効率を向上させることができる。
【００３３】
本実施形態では、スプール４９と歯車４４（駆動部４１）との間に係合された弾性体４７は、シェード部１１が巻き取り装置４０に巻き取られる方向に付勢するように付勢力が予め付与された状態で配設されている。乗員がステー６０を引いてシェード部１１を閉鎖方向に展開させるときには、ベルト５０と係合した歯車４４とスクリーン１３の一端と係合したスプール４９が同時に回転する。ここで、スクリーン１３の移動に伴うスプール４９の回転角はスプール４９に巻き取られたスクリーン１３の外径に依存し、一方ベルト５０の引き出しに伴う歯車４４の回転角は歯車４４のピッチ径に依存することから、両者の回転角には多少のズレが生ずる。しかしながら、このズレを考慮しつつ、適宜弾性体４７の初期的な付勢力を設定することにより、弾性体４７に過大な負荷を与えず、シェード部１１の巻き取り装置４０への巻き取りの付勢力がほぼ一定にすることができ、巻き取りを容易にすることができる。
【００３４】
［第２実施形態］
次に、本発明の第２実施形態について図面を参照して説明する。なお、本実施形態と第１実施形態とは、ガイド部の形態が異なるだけであり、第１実施形態と重複する部分については省略し、差異のある部分を中心に説明する。図８，９は、本実施形態にかかるガイド部の作用を説明する断面図であり、図８は図３のＢ−Ｂ断面に、図９は図３のＤ−Ｄ断面に相当する。
【００３５】
図８を参照すると、スクリーン１３の側縁に結合された本実施形態にかかるガイド部１１４は、ガイドレール１３０の第１通路１３２内に収容されている。第１通路１３２には、ガイド部１１４の凹部１１７の内面に向けて突設された規制片１３１が設けられている。スクリーン１３に車幅方向内側への負荷が発生したとき、凹部１１７の車幅内側方向を臨む当接面１１９と規制片１３１とが当接し、ガイド部１１４は車幅方向内側への移動が規制される。この構成によれば、可動部分を有さず、シェード部１１のばたつきに抗するよう構成することができる。
【００３６】
本実施形態にかかるガイド部１１４は、第１実施形態にかかるガイド部と異なり、規制片１３１を取り囲むようなコの字状の断面が形成されており、規制片１３１によって車幅方向内側への移動が規制される。
【００３７】
次に図９を参照すると、シェード部１１のスクリーン１３はスプール４９に巻き取られ、このときガイド部１１４はガイド受け部１４３のガイド部収容溝４２に収容されている。ガイド部１１４には、ガイド部１１４の厚さ方向であって、凹部１１７の反対側に突起１１５が前後方向に延設されている。ガイド部１１４がガイド部収容溝４２に収容されるとき、この突起１１５は、先にスプール４９に巻き取られたガイド部１１４の凹部１１７内に収容され、ガイド部１１４が重なるときのスペーサになるとともに、ガイド部１１４が車幅方向内側へ移動することを規制している。また、本実施形態におけるガイド部１１４の重なりは、凹部１１７の側部を形成する両脇の壁が先に巻かれたガイド部１１４の凹部１１７の反対面に当接し、突起１１５が後に巻かれるガイド部１１４の凹部１１７の底面と当接することによって実現させている。このように、凹部１１７の壁と突起１１５を使ってガイド部１１４が積層される構成とすることにより、壁と突起１１５との間には適宜車幅方向の隙間を作ることができるため、巻き取りの際に車幅方向に多少のズレが生じても許容することができる。
【００３８】
以上、本発明について好適な実施形態を説明した。本発明は、図面に記載したものに限定されることなく、その趣旨を逸脱しない範囲で設計変更が可能である。
【符号の説明】
【００３９】
１    車両
２    固定ルーフ
３    開口部
１０    サンシェード装置
１１    シェード部
１３    スクリーン
１４    ガイド部
１７    凹部
１８    結合部
１９    当接面
２０    スクリーンガイド
２１    シャフトホルダ
２２    内面
２３    軸受
３０    ガイドレール
３１    規制片
３２    第１通路
３３    第２通路
４０    巻き取り装置
４１    駆動部
４２    ガイド部収容溝
４３    ガイド受け部
４４    歯車
４６    シャフト
４７    弾性体
４８    係止片
４９    スプール
５０    ベルト
５１    係合穴
５２    突起
６０    ステー
６１    摺動部
６２    第２摺動部
【図１】
0005560008.tif 000002
【図２】
0005560008.tif 000003
【図３】
0005560008.tif 000004
【図４】
0005560008.tif 000005
【図５】
0005560008.tif 000006
【図６】
0005560008.tif 000007
【図７】
0005560008.tif 000008
【図８】
0005560008.tif 000009
【図９】
0005560008.tif 000010